(57)【要約】【課題】録画番組の視聴中に、録画番組中における再生位置を把握し易く表示することが可能な電子機器及び表示方法を提供することを実現する。【解決手段】テレビジョン放送受信装置１００は、チューナ３と、ＨＤＤ１７と、録画再生制御部２２と、番組情報表示生成部４０とを有する。録画再生制御部２２は、チューナ３で受信したチャンネルにて放送されている番組を時刻情報と共にＨＤＤ１７に記録する。ＨＤＤ１７に記録した番組を再生する場合、録画番組情報表示生成部４０は、映像信号と対応付けて記録した時刻情報に基づいて録画番組情報表示５０を生成する。録画番組情報表示５０は、記録しているチャンネルの時間長を示すスライダバー５１と、スライダバー５１の各位置と対応する記録時刻表示５３と、再生している位置を示す再生位置ポインタ５５と、番組切り替わりポイント５７とを含む。【選択図】  図４
2011071584.tif 000002
【特許請求の範囲】
【請求項１】
記録媒体に記録するチャンネルの映像信号を受信する放送受信部と、
前記記録媒体に、前記放送受信部にて受信したチャンネルの映像信号を記録し、記録した映像信号を再生する記録再生制御部と、
前記記録したチャンネルの映像信号を再生する場合に、再生位置を示す録画番組情報表示を生成する録画番組情報表示生成部と、
前記録画再生制御部にて記録したチャンネルの映像信号から生成する番組映像と、前記録画番組情報表示生成部にて生成した前記録画番組情報表示とを重ね合わせて出力する映像処理部と、
を備え、
前記録画番組情報表示は、記録した複数の番組の記録時間を時系列に沿って示す第１の表示と、前記第１の表示と対応付けて再生位置を表示する第２の表示と、前記記録したチャンネル中に含まれる複数の番組の間で番組が切り替わる位置を表示する第３の表示とを含むことを特徴とする電子機器。
【請求項２】
前記録画番組情報表示は、前記記録したチャンネル中に含まれる複数の番組の時刻情報が不連続である場合、不連続である位置を表示する第４の表示を更に含むことを特徴とする請求項１に記載の電子機器。
【請求項３】
前記録画番組情報表示は、前記録画再生制御部にて番組の映像信号の記録と並行して、前記番組の記録済みの部分の映像信号を再生する場合、前記第１の表示上に記録予定である番組の時間長を前記記録済みの領域と区別するための第５の表示を更に含むことを特徴とする請求項１又は請求項２に記載の電子機器。
【請求項４】
前記録画番組情報表示は、前記番組の録画された時間帯に応じて、それぞれ異なる色で記録時刻を表示する第６の表示を更に含むことを特徴とする請求項１乃至請求項３に記載の電子機器。
【請求項５】
前記第１の表示は、再生開始位置を中点として前記再生開始位置から所定の時間内に記録されている番組を表示することを特徴とする請求項１乃至請求項４に記載の電子機器。
【請求項６】
前記録画番組情報表示は、前記記録したチャンネル中に含まれる複数の番組の時刻情報が不連続であり且つ記録した日にちが異なる場合、異なる日にちごとに記録した日にちを表示する第７の表示を更に含むことを特徴とする請求項１乃至請求項５に記載の電子機器。
【請求項７】
前記録画番組情報表示は、再生中の番組の番組名及びチャンネル名を表示する第８の表示を更に含むことを特徴とする請求項１乃至６に記載の電子機器。
【請求項８】
更に、前記映像処理部により出力された信号を表示する表示装置を備えることを特徴とする請求項１乃至請求項７のいずれか１項に記載の電子機器。
【請求項９】
記録媒体に記録する複数のチャンネルの映像信号を受信し、
受信した複数のチャンネルの映像信号を同時に記録し、
記録したチャンネルの映像信号を再生する場合に、記録した複数の番組の記録時間を時系列に沿って示す第１の表示と、前記第１の表示と対応付けて再生位置を表示する第２の表示と、前記記録したチャンネル中に含まれる複数の番組の間で番組が切り替わる位置を表示する第３の表示とを表示することを特徴とする表示方法。
【発明の詳細な説明】
【技術分野】
【０００１】
本発明は電子機器及び表示方法に関する。
【背景技術】
【０００２】
近年、ＨＤＤ（Ｈａｒｄ  Ｄｉｓｋ  Ｄｒｉｖｅ）を記録媒体として、番組信号の記録及び再生を行うＰＶＲ（Ｐｅｒｓｏｎａｌ  Ｖｉｄｅｏ  Ｒｅｃｏｒｄｅｒ）と呼ばれる装置が普及している。
【０００３】
このような装置において、録画した番組を再生する場合には、録画した番組の記録時間を横軸としたバーを表示し、バー上の再生経過時間に対応する位置に再生位置マークを表示する。また、番組の先頭からの再生経過時間を数値で表示し、番組を記録した日付を共に表示する（例えば、特許文献１参照）。
【先行技術文献】
【特許文献】
【０００４】
【特許文献１】特開２００２−１０１３７４号公報
【発明の概要】
【発明が解決しようとする課題】
【０００５】
最近では、ＨＤＤの記録容量の増大に伴い、同時に放送されている複数の放送波を複数のチューナによって受信し、チャンネルや時間帯等の条件を満たす番組を全て自動録画する機能を備えるものが登場している。
【０００６】
このような自動録画を行った録画番組を再生する場合、上述の技術を用いて各番組における再生位置は把握可能であるが、録画された複数の番組の中における再生位置を表示することは出来なかった。
【０００７】
本発明は、上述した点に鑑みてなされたものであり、録画番組の視聴中に、録画番組中における再生位置を把握し易く表示することが可能な電子機器及び表示方法を提供することを目的とする。
【課題を解決するための手段】
【０００８】
上記目的を達成するために、本発明に係る電子機器は、記録媒体に記録するチャンネルの映像信号を受信する放送受信部と、前記記録媒体に、前記放送受信部にて受信しチャンネルの映像信号を記録し、記録した映像信号を再生する記録再生制御部と、前記記録したチャンネルの映像信号を再生する場合に、再生位置を示す録画番組情報表示を生成する録画番組情報表示生成部と、前記録画再生制御部にて記録したチャンネルの映像信号から生成する番組映像と、前記録画番組情報表示生成部にて生成した前記録画番組情報表示とを重ね合わせて出力する映像処理部と、を備え、前記録画番組情報表示は、記録した複数の番組の記録時間を時系列に沿って示す第１の表示と、前記第１の表示と対応付けて再生位置を表示する第２の表示と、前記記録したチャンネル中に含まれる複数の番組の間で番組が切り替わる位置を表示する第３の表示とを含むことを特徴としている。
【０００９】
また、本発明に係る表示方法は、記録媒体に記録する複数のチャンネルの映像信号を受信し、受信した複数のチャンネルの映像信号を同時に記録し、記録したチャンネルの映像信号を再生する場合に、記録した複数の番組の記録時間を時系列に沿って示す第１の表示と、前記第１の表示と対応付けて再生位置を表示する第２の表示と、前記記録したチャンネル中に含まれる複数の番組の間で番組が切り替わる位置を表示する第３の表示とを表示することを特徴としている。
【発明の効果】
【００１０】
本発明によれば、録画番組の視聴中に、録画番組中における再生位置を把握し易く表示することが可能な電子機器及び表示方法を提供することが実現する。
【図面の簡単な説明】
【００１１】
【図１】本実施の形態におけるテレビジョン放送受信装置の外観図。
【図２】本実施の形態におけるテレビジョン放送受信装置が備えるリモートコントローラの外観図。
【図３】本実施の形態におけるテレビジョン放送受信装置の機能ブロック図。
【図４】本実施の形態におけるＨＤＤの記録状態の概念図の一例を示す図。
【図５】本実施の形態における時刻情報テーブルの記録状態の概念図。
【図６】本実施の形態における過去番組表の一例を示す図。
【図７】本実施の形態における第２の再生方法による再生中の録画番組情報表示の一例を示す図。
【図８】本実施の形態における第２の再生方法による再生中の録画番組情報表示の一例を示す図。
【図９】本実施の形態における第１の再生方法による再生中の録画番組情報表示の一例を示す図。
【図１０】本実施の形態における第２の再生方法による再生中の録画番組情報表示の一例を示す図。
【図１１】本実施の形態における第２の再生方法による再生中の録画番組情報表示の一例を示す図。
【図１２】本実施の形態における録画番組情報表示生成部が実行する処理手順のフローチャートを示す図。
【発明を実施するための形態】
【００１２】
以下、図１〜図１２を用いて、本発明の実施の形態について説明する。
本発明に係る電子機器として、テレビジョン放送受信装置１００を例に説明をする。
図１は、本実施の形態におけるテレビジョン放送受信装置１００の外観図である。尚、本実施の形態では、本発明に係る電子機器としてテレビジョン放送受信装置を例に説明するが、これに限定されることはない。即ち、放送受信装置、放送受信機能付き携帯電話、放送受信機能付きパーソナルコンピュータ、及び放送受信装置が搭載された映像記録装置等、放送受信装置を備えた機器であれば何でも良い。また、放送は空中を伝播してくる電波を受信するものに限らず、ケーブルやＩＰ（インターネット・プロトコル）網等のネットワークを介して放送局から配信される番組を受信可能な放送でも良い。
【００１３】
テレビジョン放送受信装置１００は、主として薄型のキャビネット１１０と、これを支持する支持台１２０とから構成されている。キャビネット１１０は、後述するチューナ３等の電子装置を格納する。また、キャビネット１１０の正面中央部に映像表示部１３０が配置され、両側面にはスピーカ１４０が配置されステレオ音声再生が行えるようになっている。映像表示部１３０は、例えばＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）表示パネル、ＬＣＤ（Ｌｉｑｕｉｄ  Ｃｒｙｓｔａｌ  Ｄｉｓｐｌａｙ）表示パネル等である。
【００１４】
キャビネット１１０の正面下部には、リモートコントローラ１５０から無線送信された操作信号を受信するための受信部２４が設けられる。また、テレビジョン放送受信装置１００のキャビネット１１０の側面には、電源スイッチ等の操作部２３が配置されている。テレビジョン放送受信装置１００は、図示しないプラグを介して外部から電力供給を受け、後述するアンテナ１を介して各種の放送波を受信して、この受信した放送波の信号を信号処理部１２でデコードすることにより映像信号、及び音声信号を出力する。映像表示部１３０はデコードされた映像信号を処理して映像を表示し、スピーカ１４０はデコードされた音声信号を処理して音声を出力する。
【００１５】
尚、本実施の形態においては、キャビネット１１０内にチューナ等の電子装置を格納するとしたが、これに限定されることはない。即ち、チューナ３等の電子装置をキャビネット１１０とは別の筐体に格納し、その筐体とテレビジョン放送受信装置１００とを接続して、テレビジョン放送受信装置１００に備えられる映像表示部１３０及びスピーカ１４０にて映像音声を出力するとしても良い。
【００１６】
図２は、本実施の形態におけるテレビジョン放送受信装置が備えるリモートコントローラ１５０の外観図である。次に、図２を用いてテレビジョン放送受信装置１００に設けられるリモートコントローラ１５０の構造について説明する。
【００１７】
リモートコントローラ１５０は、電源キー１５０ａと、放送切替キー１５０ｂと、ダイレクト選局キー１５０ｃと、音量調節キー１５０ｄと、チャンネルアップダウンキー１５０ｅと、カーソルキー１５０ｆと、決定キー１５０ｇと、青、赤、緑、黄のカラーキー１５０ｈと、特殊再生キー１５０ｉと、画面表示キー１５０ｊ、タイムシフトキー１５０ｋと、番組表キー１５０ｌとを備え構成されている。
【００１８】
電源キー１５０ａは、テレビジョン放送受信装置１００の電源のオン／オフの切り替えの指示をするためのキーである。放送切替キー１５０ｂは、テレビジョン放送受信装置１００にて表示する放送を地上波デジタル放送、ＢＳデジタル放送及びＣＳデジタル放送との間で切り替える指示をするためのキーである。ダイレクト選局キー１５０ｃは、それぞれのキーと対応するチャンネルをテレビジョン放送受信装置１００にて表示する指示をするためのキーである。音量調節キー１５０ｄは、スピーカ１４０から出力する音量を変更する指示をするためのキーである。
【００１９】
チャンネルアップダウンキー１５０ｅは、テレビジョン放送受信装置１００にて表示するチャンネルをチャンネル番号順に変更する指示をするためのキーである。カーソルキー１５０ｆは、映像表示部１３０に表示されるカーソルを移動させる指示をするためのキーである。決定キー１５０ｇは、カーソルキー１５０ｆが位置する項目を選択する指示をするためのキーである。
【００２０】
カラーキー１５０ｈは、画面上に表示される各カラーキーに割りあてられた操作案内に対応した操作を指示するためのキーである。特殊再生キー１５０ｉは、早送り、巻き戻し、停止、再生、次番組スキップ、前番組スキップ等の特殊再生の指示をするためのキーである。画面表示キー１５０ｊは、録画番組情報表示５０を表示するためのキーである。
【００２１】
タイムシフトキー１５０ｋは、第２の録画方法により同時録画した番組を表示する過去番組表４４を表示させるためのキーである。番組表キー１５０ｌは、ＥＰＧ（Ｅｌｅｃｔｒｏｎｉｃ  Ｐｒｏｇｒａｍ  Ｇｕｉｄｅ）情報に基づいて放送中の番組表を表示させるためのキーである。それぞれのキーが操作されると、指示の内容を示す操作信号が、受信部２４を介して図３に示す制御部１８に入力される。
【００２２】
図３は、本実施の形態におけるテレビジョン放送受信装置１００の機能ブロック図である。この図３を用いて、本実施の形態に係る録画番組情報表示５０を行うテレビジョン放送受信装置１００の機能について説明する。
【００２３】
テレビジョン放送受信装置１００は、アンテナ１と、入力端子２と、チューナ３と、ＴＳ（Ｔｒａｎｓｐｏｒｔ  Ｓｔｒｅａｍ）処理部１１と、信号処理部１２と、グラフィック処理部１３と、ＯＳＤ（Ｏｎ  Ｓｃｒｅｅｎ  Ｄｉｓｐｌａｙ）信号生成部１４と、音声処理部１５と、映像処理部１６と、ＨＤＤ（Ｈａｒｄ  Ｄｉｓｋ  Ｄｒｉｖｅ）１７と、制御部１８と、操作部２３と、受信部２４と、第１のカードＩ／Ｆ（Ｉｎｔｅｒｆａｃｅ）２５と、第１のカードホルダ２６と、第２のカードＩ／Ｆ２８と、第２のカードホルダ２９と、明るさセンサ３１と、通信Ｉ／Ｆ３２と、ＬＡＮ端子３３と、ＵＳＢ  Ｉ／Ｆ３４と、ＵＳＢ端子３５と、ｉ．ＬＩＮＫ  Ｉ／Ｆ３６と、ｉ．ＬＩＮＫ端子３７と、ＨＤＭＩ  Ｉ／Ｆ３８と、ＨＤＭＩ端子３９と、映像表示部１３０と、スピーカ１４０とを備える。
【００２４】
また、制御部１８は、ＲＯＭ（Ｒｅａｄ  Ｏｎｌｙ  Ｍｅｍｏｒｙ）１９と、ＲＡＭ（Ｒａｎｄｏｍ  Ａｃｃｅｓｓ  Ｍｅｍｏｒｙ）２０と、不揮発性メモリ２１と、録画再生制御部２２と、番組情報表示生成部４０と、ＣＰＵ（Ｃｅｎｔｒａｌ  Ｐｒｏｃｅｓｓｉｎｇ  Ｕｎｉｔ）を備えている。
【００２５】
アンテナ１は、放送形式として地上波デジタル放送、ＢＳデジタル放送及びＣＳデジタル放送等を受信することができるように構成されたアンテナである。
入力端子２は、アンテナ１から受信した放送信号を複数のチューナ３に入力する。
チューナ３は、制御部１８からの制御信号により所望のチャンネルの放送信号を地上波デジタル放送、ＢＳデジタル放送及びＣＳデジタル放送の３種類の中から選局し、この選局された放送信号を復調（地上デジタル放送の場合にはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調、ＢＳデジタル放送及びＣＳデジタル放送の場合にはＰＳＫ（Ｐｈａｓｅ  Ｓｈｉｆｔ  Ｋｅｙｉｎｇ）復調）し、所望の番組を含んだＴＳ（Ｔｒａｎｓｐｏｒｔ  Ｓｔｒｅａｍ）を得てＴＳ処理部１１に入力する。
【００２６】
チューナ３は、複数設けられ、受信する放送波に応じてチューナ３Ａ、３Ｂ、３Ｃと符号をつけ、特に区別する必要が無い場合にはこれらを単にチューナ３と称す。本明細書においては、チューナ３Ａを視聴用、チューナ３Ｂ及び３Ｃを録画用とする。チューナ３Ｂと３Ｃのそれぞれで選局した放送信号を用いた録画方法の違いについては後述する。
【００２７】
ＴＳ処理部１１は、選局されたチャンネルのＴＳがチューナ３から入力され、これら複数のＴＳを１つのＴＳに再多重して、信号処理部１２に出力する。
また、ＴＳ処理部１１は、録画を行う場合、チューナ３Ｂ及び３Ｃで選局された複数のＴＳがチューナ３から入力され、これら複数のＴＳを１つのＴＳに再多重して、信号処理部１２に出力する。
【００２８】
信号処理部１２は、ＴＳ処理部１１から出力された複数のチャンネルが多重されたＴＳに、適切なデジタル信号処理を施す。デジタル信号処理が施されたＴＳは、データ信号、映像信号及び音声信号に分離される。この分離された映像信号はグラフィック処理部１３に、音声信号は音声処理部１５に、データ信号はＯＳＤ信号生成部１４若しくは制御部１８に、それぞれ出力される。また、録画するためにＴＳ処理部１１によって再多重されたＴＳは、制御部１８に出力される。
【００２９】
このデータ信号には、放送された番組に関する各種の情報が含まれている。番組に関する情報として、時刻情報がある。日本の地上デジタル放送においては、社団法人電波産業会（ＡＲＩＢ）の標準規格であるＡＲＩＢ  ＳＴＤ−Ｂ１０で番組配列情報のテーブルとして、時刻日付テーブル（ＴＤＴ：Ｔｉｍｅ  ａｎｄ  Ｄａｔｅ  Ｔａｂｌｅ）と、サマータイム実施時のオフセット時間情報を含む時刻日付オフセットテーブル（ＴＯＴ：Ｔｉｍｅ  Ｏｆｆｓｅｔ  Ｔａｂｌｅ）とが定められており、これらのテーブルにより日本標準時（ＪＳＴ＝協定世界時（ＵＴＣ）＋９）と修正ユリウス日（ＭＪＤ）による現在日付と現在時刻とが伝送される。
【００３０】
本明細書においては、現在日付と現在時刻として、時刻日付オフセットテーブル（ＴＯＴ）を用いるものとする。日本の地上デジタル放送の運用規定を定めたＡＲＩＢ  ＴＲ−Ｂ１４では、時刻日付オフセットテーブル（ＴＯＴ）が送信されるデフォルト周期として、５秒が定められており、ＴＯＴは５秒に１回の周期で送信される。
【００３１】
また、データ信号に含まれる番組に関する情報としては、ＥＰＧ情報がある。このＥＰＧ情報は、本実施の形態においては、現在放送中の番組についての番組表と、録画した番組についての過去番組表４４とを生成するために用いられる。
【００３２】
グラフィック処理部１３は、信号処理部１２から出力されるデジタルの映像信号のデコード処理を行う。デコードされた映像信号は、ＯＳＤ信号生成部１４から出力されたＯＳＤ信号と重ね合わせて合成され、映像処理部１６に出力される。グラフィック処理部１３は、デコードされた映像信号又はＯＳＤ信号を、映像処理部１６に選択的に出力することもできる。
【００３３】
ＯＳＤ信号生成部１４は、制御部１８の制御に従って、ＵＩ（ユーザ・インタフェース）画面などを表示するためのＯＳＤ信号を生成する。また上述の信号処理部１２において、デジタル放送信号から分離されたデータ信号は、ＯＳＤ信号生成部１４により適切なフォーマットのＯＳＤ信号に変換され、グラフィック処理部１３に出力される。
【００３４】
また、ＯＳＤ信号生成部１４は、後述する録画番組情報表示生成部４０からの録画番組情報表示５０を表示させるためのデータ信号を受信し、グラフィック処理部１３に出力する。
【００３５】
音声処理部１５は、信号処理部１２から入力された音声信号を、スピーカ１４０で再生可能なフォーマットのアナログ音声信号に変換する。アナログに変換された音声信号は、スピーカ１４０に出力されて再生される。
【００３６】
映像処理部１６は、グラフィック処理部１３から出力された信号を、映像表示部１３０で表示可能なフォーマットのアナログ映像信号に変換する。アナログに変換された映像信号は、映像表示部１３０に出力される。
【００３７】
ＨＤＤ１７は、録画再生制御部２２による制御に基づいて、チャンネルごとのＴＳを格納する。ＨＤＤ１７の記録状態については図４を用いて後述する。
制御部１８は、操作部２３から入力される操作信号や、リモートコントローラ１５０から送信され受信部２４を介して受信される操作信号に応じて、ＲＯＭ１９に予め記録されたシステム制御プログラム及び各種処理プログラムを起動させる。制御部１８は、起動したプログラムに従って、ＲＡＭ２０をワークメモリとして装置各部の動作を制御する。
【００３８】
ＲＯＭ１９は、ＣＰＵが実行するシステム制御プログラム及び各種処理プログラムを格納するメモリである。
ＲＡＭ２０は、ＣＰＵが各種プログラムを展開するための、いわゆるワーキングメモリである。
不揮発性メモリ２１は、各部の動作制御に必要な各種の設定情報及び制御情報等を格納する。
録画再生制御部２２は、テレビジョン放送受信装置１００の録画及び録画した番組を再生する機能の制御を行う。即ち、録画再生制御部２２は、信号処理部１２から出力された複数チャンネルが多重されているＴＳをチャンネルごとのＴＳに戻し、ＨＤＤ１７に記録する。
【００３９】
また、録画再生制御部２２は、録画したデータの再生する制御を実行し、ＨＤＤ１７に格納したチャンネルごとのＴＳを読み出して再生させた後、映像表示部１３０に表示させたり、スピーカ１４０から音声出力させたりすることができる。ＬＡＮ対応ＨＤＤ専用ポートとしてのＬＡＮ端子３３を設けることにより、他のネットワーク環境やネットワーク使用状況等に影響されることなく、ＨＤＤ１７に対してハイビジョン画質による番組の情報記録を安定して行うことが可能となる。
【００４０】
本実施の形態において、テレビジョン放送受信装置１００は、２種類の録画方法を備えている。まず第１の録画方法として、番組を個々に指定する若しくはユーザが任意の時間に録画の開始終了を指定する録画方法である。即ち、第１の録画方法においては、指定した番組を放送している１つの放送波を受信し、ＨＤＤ１７に記録する。この方法は、従来の個々に録画する番組を指定するＨＤＤレコーダ等と同じ録画方法である。第１の録画方法に用いる放送波を受信するチューナを、チューナ３Ｂとする。
【００４１】
第２の録画方法は、個々の番組を指定するのではなく、チャンネル、時間、曜日等の条件を指定し、条件を満たす全ての番組を録画するものである。即ち、条件に該当する複数の放送波を受信し、これらを並行してチャンネルごとにＨＤＤ１７に記録する。第２の録画方法に用いる放送波を受信するチューナを、チューナ３Ｃとする。
【００４２】
第２の録画方法で録画を行う場合、信号処理部１２にて分離されたデータ信号の中から同時録画した時間帯の番組のＥＰＧの画像信号を取得し、取得したＥＰＧの画像信号に基づいて過去番組表４４としてＨＤＤ１７に格納する。過去番組表４４は、タイムシフトキー１５０ｋを押下することにより、ＨＤＤ１７より読み出されて表示される。
【００４３】
図４は、本実施の形態におけるＨＤＤ１７の記録状態の概念図の一例を示す図である。以上の２種類の録画方法により録画される番組の記録状態について、図４を用いて説明する。
【００４４】
録画再生制御部２２は、ＨＤＤ１７を第１の記録領域１７１と、第２の記録領域１７２とに区画して記録を行う。第１の記録領域１７１には、第１の録画方法により録画された番組のＴＳ、第２の記録領域１７２には、チャンネルごとに作成された時刻情報テーブル４２と第２の録画方法により録画されたチャンネルごとのＴＳ４３とを格納する。
【００４５】
第１の記録領域１７１には、ユーザが個々に番組を指定することで録画した番組ａ〜ｅのＴＳが格納されている。これらの番組ａ〜ｅのそれぞれのＴＳには、各番組についてチャンネル情報や番組名等の番組情報が共に格納されている。
【００４６】
図５は、本実施の形態における時刻情報テーブル４２の記録状態の概念図である。時刻情報テーブル４２Ａ〜Ｃは、それぞれチャンネル１〜３に対応している。それぞれの時刻情報テーブル４２には、チャンネル情報、番組情報、時刻情報、アドレスとを対応付けて記録している。この時刻情報テーブル４２は、例えば、ＭＰＥＧ（Ｍｏｖｉｎｇ  Ｐｉｃｔｕｒｅ  Ｅｘｐｅｒｔｓ  Ｇｒｏｕｐ）２の放送のＧＯＰ（Ｇｒｏｕｐ  ｏｆ  Ｐｉｃｔｕｒｅ）間隔と同様に、０．５秒ごとに作成するものとする。また、アドレスとは、論理アドレス若しくは物理アドレスとする。
【００４７】
また、第２の記録領域１７２には、チャンネル１〜３において時間帯や曜日等の条件を指定することで録画した番組Ａ〜ＰがチャンネルごとにＴＳ４３として格納されている。第２の記録領域１７２の記録容量が限界に達した場合、記録時刻が古いものから順次消去しながら録画を続けていくものとする。これに伴い、時刻情報テーブル４２も記録時刻の古いものから順次消去され、新たに録画した番組のものが作成され格納されていく。
【００４８】
この時刻情報テーブル４２は、第２の記録領域１７２に記録すると限られるものでは無い。即ち、不揮発性メモリ２１でも良いし、各種のインターフェースを介して接続される記録媒体に記録するとしても良い。
【００４９】
また、本実施の形態において、テレビジョン放送受信装置１００は、録画した番組を再生する方法として２種類の再生方法を備えている。
まず、第１の再生方法として第１の記録領域１７１に格納した番組の中から、１つの番組を選択して再生する方法である。即ち、第１の記録領域１７１に格納している番組ａ〜ｅまでをリスト表示し、再生する番組を選択して再生する場合を第１の再生方法とする。
【００５０】
第２の再生方法として、第２の記録領域１７２に格納した複数のチャンネルのＴＳを、チャンネル切替可能且つ録画時刻に沿って順に連続して再生する方法である。即ち、第２の記録領域１７２に格納しているチャンネル１〜３のＴＳ４３ａ〜ｃの何れかを再生中にチャンネルを切り替えると、再生していたチャンネルの時刻と略同時刻に記録されている時点からチャンネル切替先のチャンネルが第２の記録領域１７２から再生されて表示される。従って、過去に遡ってリアルタイムで放送を視聴しているように、チャンネルを切り替えて番組を視聴することが可能になる。
【００５１】
略同時刻とは、再生していた位置の録画時刻の前後１０秒前後を指す。ＴＳ４３を再生し始めてから、映像表示部１３０に映像を表示するまでに数秒要するため、同じ録画時刻に記録されている位置に遷移すると、実際に表示されるのは数秒遅れた映像からになる虞がある。そこで、チャンネル切替動作を行った時点で再生しているＴＳ４３の時刻情報と比べて、数秒前に記録されている位置に遷移するとしても良い。数秒前のＴＳ４３の位置に遷移することで、チャンネル切替動作以前に視聴していたチャンネルの録画時刻と同じ時刻に録画されている映像が実際に表示されることになる。
【００５２】
また、チャンネル切替動作を行った時点で再生しているＴＳ４３の時刻情報と比べて、数秒後に記録されている位置に遷移するとしても良い。数秒後のＴＳ４３の位置に遷移することで、過去に遡ってリアルタイムで放送を視聴している際にチャンネルを切り替えた場合の動作を再現することができる。
【００５３】
図６は、本実施の形態における過去番組表４４の一例を示す図である。図６に示すように過去番組表４４は、時系列に沿ってチャンネルごとに同時録画を行った番組を示すものである。過去番組表４４中でカーソルキー１５０ｆによる操作によりカーソル４５を移動させ、カーソル４５を置いた状態で決定キー１５０ｇを押下するとこのカーソル４５が置かれていた番組の再生を録画再生制御部２２が実行する。図６に示した例では、番組Ｄにカーソル４５を置いた状態で決定キー１５０ｇを押下すると、まず番組Ｄを再生し、番組Ｄの再生が終了すると続けて番組Ｅを録画再生制御部２２が再生する。
【００５４】
操作部２３は、ユーザによる操作に応じた操作信号を受け付け、制御部１８に入力する。
受信部２４は、ユーザによるリモートコントローラ１５０の操作に応じた操作信号を受け付け、制御部１８に入力する。
第１のカードホルダ２６は、第１のカードＩ／Ｆ２５を介して制御部１８に接続されている。第１のカード２７は、この第１のカードＩ／Ｆ２５に装着可能である。第１のカード２７は、例えばＳＤ（Ｓｅｃｕｒｅ  Ｄｉｇｉｔａｌ）メモリーカード、ＭＭＣ（Ｍｕｌｔｉｍｅｄｉａ  Ｃａｒｄ）及びＣＦ（Ｃｏｍｐａｃｔ  Ｆｌａｓｈ）（登録商標）カード等の記録媒体である。第１のカードホルダ２６に装着された第１のカード２７と、制御部１８は、第１のカードＩ／Ｆ２５を介して情報の伝達を行うことができる。制御部１８は、第１のカード２７に、画像や音楽、放送番組等のデータを格納することができる。また制御部１８は、第１のカード２７に格納された画像や音楽、放送番組等のデータを読み出し、音声処理部１５及び映像処理部１６等でデコード処理がされることにより、映像表示部１３０に表示させたり、スピーカ１４０から音声出力させたりすることができる。
【００５５】
第２のカードホルダ２９は、第２のカードＩ／Ｆ２８を介して制御部１８に接続されている。第２のカード３０は、この第２のカードＩ／Ｆ２８に装着可能である。第２のカード３０は、例えば放送受信契約の契約情報等を記録する記録媒体である。第２のカードホルダ２９に装着された第２のカード３０と制御部１８は、第２のカードＩ／Ｆ２８を介して情報の伝達を行うことができる。
【００５６】
明るさセンサ３１は、キャビネット１１０の前面に配置され、テレビジョン放送受信装置１００が配置されている周囲の明るさを検出し、この検出結果を制御部１８に入力する。制御部１８は、入力された明るさに関する検出結果に基づいて、映像表示部１３０の輝度を制御する。
【００５７】
ＬＡＮ（Ｌｏｃａｌ  Ａｒｅａ  Ｎｅｔｗｏｒｋ）端子３３は、通信Ｉ／Ｆ３２を介して制御部１８に接続されている。ＬＡＮ端子３３は、イーサネット（登録商標）を用いたＬＡＮ対応ＨＤＤ専用ポートとして使用される。ＬＡＮ端子３３にＬＡＮ対応のＨＤＤがＮＡＳ（Ｎｅｔｗｏｒｋ  Ａｔｔａｃｈｅｄ  Ｓｔｏｒａｇｅ）として接続された場合、ＨＤＤ１７及び制御部１８は、通信Ｉ／Ｆ３２を介して、情報の伝達を行うことができる。この場合、制御部１８は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバとして機能し、ＬＡＮ端子３３に接続された当該ＬＡＮ対応のＨＤＤにＩＰ（Ｉｎｔｅｒｎｅｔ  Ｐｒｏｔｏｃｏｌ）アドレスを割り当てて制御している。
【００５８】
通信Ｉ／Ｆ３２を介して制御部１８に接続されるＨＤＤ、ＰＣ、ＤＶＤレコーダ等の機器には、ハードディスクやＤＶＤ（光ディスク）等の記録媒体を装着することが可能である。制御部１８は、当該記録媒体に、ハブ及び当該ハブに接続される機器を介して画像や音楽、放送番組等のデータを格納することができる。また制御部１８は、当該記録媒体に格納された画像や音楽、放送番組等のデータを読み出し再生して、映像表示部１３０に表示させたり、スピーカ１４０から音声出力させたりすることができる。
【００５９】
ＵＳＢ（Ｕｎｉｖｅｒｓａｌ  Ｓｅｒｉａｌ  Ｂｕｓ）端子３５は、ＵＳＢ  Ｉ／Ｆ３４を介して制御部１８に接続されている。ＵＳＢ端子３５は、一般的なＵＳＢ対応ポートとして使用される。ＵＳＢ端子３５には、例えばハブを介して、携帯電話、デジタルカメラ、各種メモリーカードに対するカードリーダ／ライタ、ＨＤＤ、キーボード等が接続される。制御部１８は、ＵＳＢ端子３５及びＵＳＢ  Ｉ／Ｆ３４を介して接続される機器との間で、情報の伝達を行うことができる。
【００６０】
ｉ．ＬＩＮＫ端子３７は、ｉ．ＬＩＮＫ  Ｉ／Ｆ３６を介して制御部１８に接続されている。ｉ．ＬＩＮＫ端子３７には、例えばＡＶ−ＨＤＤ、Ｄ（Ｄｉｇｉｔａｌ）−ＶＨＳ（Ｖｉｄｅｏ  Ｈｏｍｅ  Ｓｙｓｔｅｍ）等がシリアル接続される。制御部１８は、ｉ．ＬＩＮＫ端子３７及びｉ．ＬＩＮＫ  Ｉ／Ｆ３６を介して接続される機器との間で、情報の伝達を行うことができる。
【００６１】
ＨＤＭＩ端子３９は、ＨＤＭＩ  Ｉ／Ｆ３８を介して制御部１８に接続されている。ＨＤＭＩ端子３９には、例えばパーソナルコンピュータや液晶ディスプレイやＡＶアンプ等に接続される。制御部１８は、ＨＤＭＩ端子３９及びＨＤＭＩ  Ｉ／Ｆ３８を介して接続される機器との間で、情報の伝達を行うことができる。
【００６２】
録画番組情報表示生成部４０は、ユーザからの指示に従って、図７乃至図１１に示す録画番組情報表示５０を生成する。録画番組情報表示５０を生成するための指示とは、第２の再生方法で再生を開始する指示、第２の再生方法による再生中にダイレクト選局キー１５０ｃ等でチャンネルを変更する指示及び画面表示キー１５０ｊの押下による指示等である。これらの生成指示を受信した場合、再生中若しくは再生を開始するチャンネルについての時刻情報テーブル４２を第２の記録領域１７２から取得する。
【００６３】
次に、録画番組情報表示生成部４０は、取得した時刻情報テーブル４２に基づいて録画番組情報表示５０を表示するための信号を生成し、ＯＳＤ信号生成部１４に送信する。ＯＳＤ信号生成部１４は、この受信した録画番組情報表示５０を表示するための信号に基づいてＯＳＤ信号を生成し、グラフィック処理部１３に出力する。グラフィック処理部１３は、録画番組情報表示５０を表示するためのＯＳＤ信号と再生指示された番組の映像信号とを重ね合わせて合成し、映像処理部１６に出力する。映像処理部１６にて、グラフィック処理部１３から受信した信号に基づいた変換を行うことで、映像表示部１３０上に再生する番組の映像と共に録画番組情報表示５０が表示される。
【００６４】
次に、録画番組情報表示５０について図７乃至１１を用いて説明する。図７乃至図１１は、本実施の形態における第２の再生方法による再生中に示す録画番組情報表示５０の一例を示す図である。録画番組情報表示５０は、第２の再生方法で再生を開始する場合、第２の再生方法で再生中にダイレクト選局キー１５０ｃ等でチャンネルが変更された場合、若しくは第２の再生方法で再生中に画面表示キー１５０ｊが押下された場合に表示される。
【００６５】
以降、第１の再生方法による再生中に表示する録画番組情報表示５０を録画番組情報表示５０Ａ、第２の再生方法による再生中に表示する録画番組情報表示５０を録画番組情報表示５０とする。また、録画番組情報表示５０Ａ中に示すスライダバー５１をスライダバー５１Ａ、録画番組情報表示５０Ｂ中に示すスライダバー５１Ｂとする。
【００６６】
図７は、本実施の形態における第２の再生方法による再生中の録画番組情報表示の一例を示す図である。録画番組情報表示５０は、スライダバー５１Ａと、日付表示５２と、記録時刻表示５３と、動作表示５４と、再生位置ポインタ５５と、再生位置時刻表示５６と、番組切り替わりポイント５７と、チャンネル表示５８と、番組名５９とから構成される。
【００６７】
本発明に係る第１の表示はスライダバー５１Ａ、第２の表示は再生位置ポインタ５５若しくは再生位置時刻表示５６、第３の表示は番組切り替わりポイント５７、第４の表示は録画不連続ポイント６１、第５の表示は未録画部分６０、第６の表示は記録時刻表示５３、第７の表示は日付表示５２Ａ及びＢ、第８の表示はチャンネル表示５８及び番組名５９、にそれぞれ該当する。
【００６８】
スライダバー５１Ａは、過去番組表４４にて選択されたチャンネルについて、時刻を目盛とした棒状の領域で第２の記録領域１７２に格納されている番組の録画時間を示したものである。選択された再生開始時点を中点とし、この再生開始時点からそれぞれ３時間の合計６時間分の録画時間を表示するものとする。スライダバー５１Ａの長さは時間に対して一定とし、１時間ごと区切って表示する。
【００６９】
日付表示５２は、番組を録画した日付を示す表示である。日付表示５２は、内蔵されているクロックから日付情報を取得して生成する。図７においては、１２月１２日（日曜日）に録画した番組であることを表示している。
【００７０】
記録時刻表示５３は、スライダバー５１Ａの目盛に対応した記録時刻を示す表示である。図７においては、ＰＭ４時からＰＭ１０時の間で、１時間ごとに記録時刻を表示している。また、記録時刻表示５３は時間帯に応じて異なる色としても良い。記録時刻表示５３の色を変化させることで、ユーザに対して録画番組が放送された時間帯の認識をし易くすることが出来る。
【００７１】
動作表示５４は、テレビジョン放送受信装置１００の動作状態を示す表示である。動作状態とは例えば、早送り、巻き戻し、停止、再生、追っかけ再生、次番組スキップ、前番組スキップ等の再生動作状態である。テレビジョン放送受信装置１００の動作は、リモートコントローラ１５０の特殊再生キー１５０ｉを押下することで指示される。図７においては、再生中であることを表示している。
【００７２】
再生位置ポインタ５５は、現在視聴している映像信号の記録時刻に対応する位置を示すポインタである。再生位置ポインタ５５は、再生しているＴＳ４３のアドレスを時刻情報テーブル４２から時刻情報を探索し、取得した時刻情報を元にスライダバー５１に対応付けた位置に表示される。
【００７３】
再生位置時刻表示５６は、現在視聴している映像信号の記録時刻を示す表示である。図示したように、再生位置ポインタ５５の上方に再生位置ポインタ５５と連動するように表示される。再生位置時刻表示５６は、再生しているＴＳ４３のアドレスを時刻情報テーブル４２から時刻情報を探索し、取得した時刻情報を元に表示される。図７においては、記録時刻がＰＭ７時の番組を再生していることを表示している。
【００７４】
尚、本実施の形態においては、時刻情報テーブル４２を参照して再生位置表示５５の位置及び再生位置時刻表示５６の表示を決定するとしたが、これに限定されることはない。例えば、ＴＳ４３に含まれるＴＯＴに基づいて、これらを決定するとしても良い。
【００７５】
番組切り替わりポイント５７は、録画しているチャンネルにおいて、番組が切り替わるポイントを示す表示である。図７においては、ＰＭ４時、ＰＭ５時、ＰＭ６時、ＰＭ７時、ＰＭ８時、ＰＭ１０時に番組が切り替わることを表示している。
【００７６】
チャンネル表示５８は、第２の再生方法により、再生しているチャンネルを示す表示である。チャンネル表示５８は、ダイレクト選局キー１５０ｃ等の押下により再生するチャンネルが変更されると、その操作に伴って変更される。
【００７７】
番組名５９は、再生している番組名を示す表示である。番組名５９は時刻情報テーブル４２に含まれる番組情報、あるいはＴＳ４３に含まれるＳＩ（Ｓｙｓｔｅｍ  Ｉｎｆｏｒｍａｔｉｏｎ）情報の中のＥＰＧ情報から生成される。番組名５９も、チャンネル表示５８と同様に、ダイレクト選局キー１５０ｃ等の押下により再生するチャンネル及び番組が変更されると、その操作に伴って変更される。
【００７８】
次に、第２の再生方法により再生している場合に、ダイレクト選局キー１５０ｃ及びチャンネルアップダウンキー１５０ｅ等でチャンネル切替が指示された場合の、録画番組情報表示５０について説明する。
【００７９】
図８は、本実施の形態における第２の再生方法による再生中の録画番組情報表示５０Ａの一例を示す図である。例えば、図７に示したようにチャンネル１のＰＭ７時から録画されている番組Ｄを再生開始した時点で、チャンネル２に切り替える指示を受信した場合は図８に示すように録画番組情報表示５０Ａは変更される。図７と図８とを比べると、再生位置ポインタ５５及び再生位置時刻表示５６は変わらず、チャンネル表示５８及び番組名５９を変更している。即ち、第２の再生方法による再生中にチャンネル切替を行うと、時刻情報テーブル４２を参照して略同時刻に記録されている切替先のチャンネルのＴＳ４３を読み出し再生する。図７に示した例の場合、チャンネル切替を行った時刻はＰＭ７時であり、図６に示した過去番組表４４からチャンネル２においてＰＭ７時に記録されている番組は番組Ｈであるので番組Ｈに切り替えて再生する。
【００８０】
図９は、本実施の形態における第１の再生方法による再生中の録画番組情報表示５０Ｂの一例を示す図である。図９を用いて、第２の再生方法による再生中の録画番組情報表示５０との違いについて説明する。図７と同じ表示については同じ符号を用いて示し、説明は省略する。
【００８１】
図９に示すように第１の再生方法による再生中の録画番組情報表示５０Ｂは、スライダバー５１Ｂと、日付表示５２と、経過時間表示６３と、動作表示５４と、再生位置ポインタ５５と、チャンネル表示５８と、番組名５９と、現在時刻表示６２とから構成される。
【００８２】
録画番組リスト中から再生する番組を選択して再生する第１の再生方法においては、スライダバー５１Ｂが指定した番組の録画時間となる。即ち、過去番組表４４から選択した番組から録画時刻に沿って録画番組を順に再生していく第２の再生方法と異なり、第１の再生方法においては指定した番組の再生が終了すれば再生動作は終了する。
【００８３】
従って、第１の再生方法による再生中には、スライダバー５１Ｂに対応して、経過時間表示６３を表示する。経過時間表示６３は、再生を指定した番組の録画開始時点を０：００と表示し、経過した再生時間を示すものである。
【００８４】
現在時刻表示６２は、内蔵されているクロックから日付情報を取得して生成する。また、経過時間表示６３は時刻情報テーブル４２に含まれる時刻情報に基づいて生成する。
【００８５】
図１０は、本実施の形態における追っかけ再生中の録画番組情報表示５０を示した図である。追っかけ再生とは、ある録画動作と並行して、この録画している番組の録画済みの部分を再生することである。図１０中に示した動作表示５４は、追っかけ再生を示す表示である。
【００８６】
追っかけ再生中には、スライダバー５１中に更に未録画部分６０が表示される。未録画部分６０は、録画予約されているが、まだ放送が行われていないため録画されていない部分を示している。図１０においては、ＰＭ８時からＰＭ１０時に放送予定の番組Ｅを追っかけ再生している。即ち、現在時刻がＰＭ９時であり、ＰＭ１０時までの録画が予約され、録画済みの部分であるＰＭ８時１５分の時点を再生していることを表示している。
【００８７】
図１１は、本実施の形態における第２の再生方法による再生中の録画番組情報表示の一例を示す図である。図１１の例においては、図６に示す過去番組表４４においてチャンネル３の番組Ｐが指定された場合の、録画番組情報表示５０を示している。本実施の形態において、チャンネル３にてＰＭ４時からＰＭ８時までに放送される番組を毎日録画することが予約しているとする。
【００８８】
上述のように、スライダバー５１Ａは再生開始時刻を中点として、再生開始時刻の前後それぞれ３時間の合計６時間分の録画番組を表示する。従って、１２月１２日にチャンネル３において録画予約されている時間帯がＰＭ１０時までであるから、スライダバー５１Ａには翌日に予約されている番組が表示されることとなる。この場合には、スライダバー５１Ａ中に録画不連続ポイント６１を設け、日にちが変更している点を表示する。録画不連続ポイント６１を表示することにより、ユーザに第２の録画方法によって録画している複数の番組の構成を把握し易くすることが出来る。更に、それぞれの番組を記録した日にちを、番組に対応した位置に設ける日付表示５２Ａ及びＢにより表示するとしても良い。図１１においては、１２月１２日（日）及び１２月１３日（月）に番組の録画がされていることを表示している。
【００８９】
図１２は、本実施の形態における録画番組情報表示生成部４０が実行する処理手順のフローチャートを示す図である。この図１２を用いて、録画番組情報表示５０を表示するまでの処理手順について説明する。
【００９０】
まず、録画番組情報表示生成部４０は、リモートコントローラ１５０等から録画番組情報表示５０の表示指示を受信したか否かを判別する（ステップＳ１１）。録画番組情報表示５０の表示指示とは、例えば、第１及び第２の何れかの再生方法による再生を開始する指示や、再生中における画面表示キー１５０ｊによる指示である。
【００９１】
ステップＳ１１で判別した結果、録画番組情報表示５０の表示指示を受信していないと判別した場合（ステップＳ１１のＮｏ）、ステップＳ１１に戻る。一方、録画番組情報表示５０の表示指示を受信したと判別した場合（ステップＳ１１のＹｅｓ）、次に録画番組情報表示生成部４０は、録画番組情報表示５０の表示指示を、第２の再生方法による再生の開始又は再生中に受信したか否かを判別する（ステップＳ１２）。即ち、過去番組表４４から選択して録画番組の再生が開始されたか、若しくは過去番組表４４から選択した録画番組の再生中に画面表示キー１５０ｊが押下されたか否かを判別する。
【００９２】
ステップＳ１２で判別した結果、第２の再生方法による再生の開始又は再生中に受信していないと判別した場合（ステップＳ１２のＮｏ）、即ち第１の再生方法による再生の開始又は再生中であると判別した場合には、第１の記録領域１７１から再生中の番組の番組情報を取得する（ステップＳ１３）。即ち、第１の記録領域１７１から取得した再生中のＴＳと共に格納されている番組情報を取得する。取得した番組情報に基づいて、図９に示すような録画番組情報表示５０を示す映像信号を生成する。
【００９３】
一方、第２の再生方法による再生の開始又は再生中に受信したと判別した場合（ステップＳ１２のＹｅｓ）、再生を開始する若しくは再生中のチャンネルの時刻情報テーブル４２を第２の記録領域１７２から取得する（ステップＳ１４）。時刻情報テーブル４２に基づいて、図７等に示すスライダバー５１Ａや記録時刻表示５３や番組切り変わりポイント５７等を示す映像信号を生成する。
【００９４】
次に、録画番組情報表示生成部４０は、録画番組情報表示５０の表示指示された時点の時刻情報から、再生位置ポインタ５５及び再生位置時刻表示５６を決定する（ステップＳ１５）。即ち、録画番組情報表示５０の表示指示を受信した時点に再生しているＴＳのアドレスを時刻情報テーブル４２から参照して、対応する時刻情報を取得する。取得した時刻情報に基づいて、スライダバー５１中に示す再生位置ポインタ５５や再生位置時刻表示５６の位置を決定する。
【００９５】
次に、録画番組情報表示生成部４０は、ステップＳ１３及びＳ１４で取得した情報に基づく表示に、ステップＳ１４で決定した表示を重ね合わせて、録画番組情報表示５０を表示する（ステップＳ１６）。以後、再生位置ポインタ５５及び再生位置時刻表示５６は再生経過時間と共に表示を変化させる。
【００９６】
録画番組情報表示生成部４０は、特殊再生キー１５０ｉを押下することにより、特殊再生が指示されたか否かを判別する（ステップＳ１７）。ステップＳ１７で判別した結果、特殊再生が指示されたと判別した場合（ステップＳ１７のＹｅｓ）、ステップＳ１５に戻る。即ち、特殊再生指示による新たな再生開始点について、時刻情報を再取得する。
【００９７】
特殊再生指示として、例えば次番組スキップが指示された場合、映像信号及び音声信号は、次の番組の先頭に遷移する。また、スライダバー５１中における再生位置ポインタ５５は、特殊再生指示がされた時点の再生位置ポインタ５５から、時刻の目盛が進む方向に位置する最も近い番組切り替わりポイント５７に遷移する。
【００９８】
次に、録画番組情報表示生成部４０は、録画番組情報表示５０の終了指示を受信したか否かを判別する（ステップＳ１８）。録画番組情報表示５０の終了指示とは、第２の再生方法による録画番組の再生を終了する指示や、再生中に画面表示キー１５０ｊが再度押下された場合である。ステップＳ１８で判別した結果、録画番組情報表示５０の終了指示を受信していないと判別した場合（ステップＳ１８のＮｏ）、上述したステップＳ１７に戻る。一方、録画番組情報表示５０の終了指示を受信したと判別した場合（ステップＳ１８のＹｅｓ）、この表示処理手順を終了する。
【００９９】
尚、本実施の形態においては、録画番組情報表示５０の終了指示がされるまで、録画番組情報表示５０を表示するとしたがこれに限定されることは無い。例えば、再生開始後所定時間を経過した後に、録画番組情報表示５０を自動的に終了するとしても良い。
【０１００】
以上のように構成される本実施の形態によれば、録画番組情報表示５０を表示させることにより、同時録画された録画番組の視聴中に、複数の録画番組中における再生位置を容易に把握することができる。即ち、録画番組情報表示５０中に複数の番組の録画時間を全長とするスライダバー５１上に、再生位置ポインタ５５を示すことで、録画している番組の中における再生位置をユーザに直感的に認識させることが可能になる。また、同時録画を行っている他のチャンネルに切り替える場合にも、切替先のチャンネルにおける再生位置が同様に表示されるため再生位置の把握が容易にできる。
【０１０１】
また、スライダバー５１中に番組切り替わりポイント５７を示すことで、録画した複数の番組の構成がわかり易くなる。更に、録画した時刻若しくは日にちが不連続である場合は、録画不連続ポイント６１を示すことで、録画番組の記録時刻をわかり易く表示することができる。また、記録時刻表示５３を記録時間に対応した色にして表示することで、録画した番組の放送された時間帯をユーザに認識し易く表示することができる。
【０１０２】
尚、本実施の形態においては、ＴＳの格納位置としてのアドレスと時刻情報とを対応付けた時刻情報テーブル４２を作成するとしたが、これに限定されることは無い。即ち、ＴＳ４３に含まれる時刻情報から、その都度再生位置の時刻を算出するとしても良い。
【０１０３】
尚、本発明は上記実施の形態そのままに限定されるものではなく、実施段階ではその要旨を逸脱しない範囲で構成要素を変形して具現化できる。また、上記実施の形態に開示されている複数の構成要素の適宜な組み合わせにより、種々の発明を形成できる。例えば、実施の形態に示される全構成要素から幾つかの構成要素を削除してもよい。更に異なる実施の形態にわたる構成要素を適宜組み合わせても良い。
【符号の説明】
【０１０４】
１…アンテナ、２…入力端子、３…チューナ、１１…ＴＳ処理部、１２…信号処理部、１３…グラフィック処理部、１４…ＯＳＤ信号生成部、１５…音声処理部、１６…映像処理部、１７…ＨＤＤ、１８…制御部、１９…ＲＯＭ、２０…ＲＡＭ、２１…不揮発性メモリ、２２…録画再生制御部、２３…操作部、２４…受信部、２５…第１のカードＩ／Ｆ、２６…第１のカードホルダ、２７…第１のカード、２８…第２のカードＩ／Ｆ、２９…第２のカードホルダ、３０…第２のカード、３１…明るさセンサ、３２…通信Ｉ／Ｆ、３３…ＬＡＮ端子、３４…ＵＳＢ…Ｉ／Ｆ、３５…ＵＳＢ端子、３６…ｉ．ＬＩＮＫ…Ｉ／Ｆ、３７…ｉ．ＬＩＮＫ端子、３８…ＨＤＭＩ…Ｉ／Ｆ、３９…ＨＤＭＩ端子、４０…録画番組情報表示生成部、４１…ＴＳ、４２…時刻情報テーブル、４３…ＴＳ、４４…過去番組表、４５…カーソル、５０…録画番組情報表示、５１…スライダバー、５２…日付表示、５３…記録時刻表示、５４…動作表示、５５…再生位置ポインタ、５６…再生位置時刻表示、５７…番組切り替わりポイント、５８…チャンネル表示、５９…番組名、６０…未録画部分、６１…録画不連続ポイント、６２…現在時刻表示、６３…経過時間表示、１００…テレビジョン放送受信装置、１１０…キャビネット、１２０…支持台、１３０…映像表示部、１４０…スピーカ、１５０…リモートコントローラ、１５０ａ…電源キー、１５０ｂ…放送切替キー、１５０ｃ…ダイレクト選局キー、１５０ｄ…音量調節キー、１５０ｅ…チャンネルアップダウンキー、１５０ｆ…カーソルキー、１５０ｇ…決定キー、１５０ｈ…カラーキー、１５０ｉ…特殊再生キー、１５０ｊ…画面表示キー、１７１…第１の記録領域、１７２…第２の記録領域。
【図１】
2011071584.tif 000003
【図２】
2011071584.tif 000004
【図３】
2011071584.tif 000005
【図４】
2011071584.tif 000006
【図５】
2011071584.tif 000007
【図６】
2011071584.tif 000008
【図７】
2011071584.tif 000009
【図８】
2011071584.tif 000010
【図９】
2011071584.tif 000011
【図１０】
2011071584.tif 000012
【図１１】
2011071584.tif 000013
【図１２】
2011071584.tif 000014
【手続補正書】
【提出日】平成23年1月24日(2011.1.24)
【手続補正１】
【補正対象書類名】特許請求の範囲
【補正対象項目名】全文
【補正方法】変更
【補正の内容】
【特許請求の範囲】
【請求項１】
記録媒体に記録するチャンネルの映像信号を受信する放送受信部と、
前記記録媒体に、前記放送受信部にて受信したチャンネルの映像信号を記録し、記録した映像信号を再生する記録再生制御部と、
前記記録したチャンネルの映像信号を再生する場合に、再生位置を示す録画番組情報表示を生成する録画番組情報表示生成部と、
前記録画再生制御部にて記録したチャンネルの映像信号から生成する番組映像と、前記録画番組情報表示生成部にて生成した前記録画番組情報表示とを重ね合わせて出力する映像処理部と、
を備え、
前記録画番組情報表示は、記録した複数の番組を記録した順に示すとともに、前記記録をしていない時間帯を詰めて表示する第１の表示と、前記第１の表示と対応付けて再生位置を表示する第２の表示と、前記記録したチャンネル中に含まれる複数の番組の間で番組が切り替わる位置を表示する第３の表示とを含むことを特徴とする電子機器。
【請求項２】
前記録画番組情報表示は、前記録画再生制御部にて番組の映像信号の記録と並行して、前記番組の記録済みの部分の映像信号を再生する場合、前記第１の表示上に記録予定である番組の時間長を前記記録済みの領域と区別するための第５の表示を更に含むことを特徴とする請求項１記載の電子機器。
【請求項３】
前記録画番組情報表示は、前記番組の録画された時間帯に応じて、それぞれ異なる色で記録時刻を表示する第６の表示を更に含むことを特徴とする請求項１又は請求項２記載の電子機器。
【請求項４】
前記第１の表示は、再生開始位置を中点として前記再生開始位置から所定の時間内に記録されている番組を表示することを特徴とする請求項１乃至請求項３のいずれか１項に記載の電子機器。
【請求項５】
前記録画番組情報表示は、再生中の番組の番組名及びチャンネル名を表示する第８の表示を更に含むことを特徴とする請求項１乃至４のいずれか１項に記載の電子機器。
【請求項６】
更に、前記映像処理部により出力された信号を表示する表示装置を備えることを特徴とする請求項１乃至請求項５のいずれか１項に記載の電子機器。
【請求項７】
記録媒体に記録する複数のチャンネルの映像信号を受信し、
受信した複数のチャンネルの映像信号を同時に記録し、
記録したチャンネルの映像信号を再生する場合に、記録した複数の番組を記録した順に示すとともに、前記記録をしていない時間帯を詰めて表示する第１の表示と、前記第１の表示と対応付けて再生位置を表示する第２の表示と、前記記録したチャンネル中に含まれる複数の番組の間で番組が切り替わる位置を表示する第３の表示とを表示することを特徴とする表示方法。
【手続補正２】
【補正対象書類名】明細書
【補正対象項目名】０００８
【補正方法】変更
【補正の内容】
【０００８】
上記目的を達成するために、本発明に係る電子機器は、記録媒体に記録するチャンネルの映像信号を受信する放送受信部と、前記記録媒体に、前記放送受信部にて受信しチャンネルの映像信号を記録し、記録した映像信号を再生する記録再生制御部と、前記記録したチャンネルの映像信号を再生する場合に、再生位置を示す録画番組情報表示を生成する録画番組情報表示生成部と、前記録画再生制御部にて記録したチャンネルの映像信号から生成する番組映像と、前記録画番組情報表示生成部にて生成した前記録画番組情報表示とを重ね合わせて出力する映像処理部と、を備え、前記録画番組情報表示は、記録した複数の番組を記録した順に示すとともに、前記記録をしていない時間帯を詰めて表示する第１の表示と、前記第１の表示と対応付けて再生位置を表示する第２の表示と、前記記録したチャンネル中に含まれる複数の番組の間で番組が切り替わる位置を表示する第３の表示とを含むことを特徴としている。
【手続補正３】
【補正対象書類名】明細書
【補正対象項目名】０００９
【補正方法】変更
【補正の内容】
【０００９】
また、本発明に係る表示方法は、記録媒体に記録する複数のチャンネルの映像信号を受信し、受信した複数のチャンネルの映像信号を同時に記録し、記録したチャンネルの映像信号を再生する場合に、記録した複数の番組を記録した順に示すとともに、前記記録をしていない時間帯を詰めて表示する第１の表示と、前記第１の表示と対応付けて再生位置を表示する第２の表示と、前記記録したチャンネル中に含まれる複数の番組の間で番組が切り替わる位置を表示する第３の表示とを表示することを特徴としている。